(57)【要約】【課題】有害物質を発生させることがなく、焼却処理が可能であり、生分解性を有し、吸水性、保水性が高く、水を含んだ状態でも変形しにくい発泡体組成物及び生花用剣山を提供すること。【解決手段】まず、化工澱粉１００重量部、セラック３０重量部、ドデシルベンゼンスルフォン酸ソーダ３重量部、重炭酸ソーダ１重量部を混合し、この混合物を、二軸押出機にて、ダイから押出して発泡させ、外径約１０ｃｍの円筒形の発泡体組成物を得た。次に、発泡体組成物を、カッターナイフを用いて１片が７ｃｍの立方体の形状に切り出し、生花用剣山を製造した。【選択図】  図１
2004225010.tif 000002
【特許請求の範囲】
【請求項１】
澱粉及び／又は化工澱粉から成る澱粉類と、
天然樹脂と、を含むことを特徴とする発泡体組成物。
【請求項２】
前記天然樹脂が、セラック、ロジン、コーパル、ダンマルの中から選ばれる１種以上であることを特徴とする前記請求項１に記載の発泡体組成物。
【請求項３】
発泡体組成物全量に対する前記澱粉類の割合が、２０〜９５重量％の範囲にあることを特徴とする前記請求項１又は２に記載の発泡体組成物。
【請求項４】
発泡体組成物全量に対する前記天然樹脂の割合が、５〜８０重量％の範囲にあることを特徴とする前記請求項１〜３のいずれかに記載の発泡体組成物
【請求項５】
天然油脂を含むことを特徴とする前記請求項１〜４のいずれかに記載の発泡体組成物。
【請求項６】
セルロース類を含むことを特徴とする前記請求項１〜５のいずれかに記載の発泡体組成物。、
【請求項７】
前記請求項１〜６のいずれかに記載の発泡体組成物から成ることを特徴とする生花用剣山。
【発明の詳細な説明】
【０００１】
【発明の属する技術分野】
本発明は、発泡体組成物及び生花用剣山に関する。
【０００２】
【従来の技術】
従来より、生花用剣山等の花器の素材として、フェノール樹脂発泡体が用いられてきた（例えば特許文献１参照）。このフェノール樹脂発泡体は、吸水性、保水性が高い点では優れているが、人体に有害なホルマリンを発生するという問題や、環境上の理由から、焼却による廃棄処理が困難であり、しかも生分解性がないことから、廃棄処分が困難であるといった問題があった。
【０００３】
そこで、有害物質を発生させず、生分解性があり、焼却処理が可能である澱粉の発泡体を用いて、生花用剣山等の花器を製造することが検討されてきた。
【０００４】
【特許文献１】
特開平１０−１３９９１６号公報（段落番号００２５〜、実施例）
【０００５】
【発明が解決しようとする課題】
しかし、澱粉の発泡体は、吸水性、保水性が十分でないという問題があった。また、澱粉の発泡体は、水を含んだ状態で変形しやすい（強度が低い）ため、生花用剣山として使用した場合に、生花の重みで変形し易いという問題があった。
【０００６】
本発明は以上の点に鑑みなされたものであり、有害物質を発生させることがなく、焼却処理が可能であり、生分解性を有し、吸水性、保水性が高く、水を含んだ状態でも変形しにくい発泡体組成物及び生花用剣山を提供することを目的とする。
【０００７】
【課題を解決するための手段及び発明の効果】
（１）請求項１の発明は、
澱粉及び／又は化工澱粉から成る澱粉類と、天然樹脂と、を含むことを特徴とする発泡体組成物を要旨とする。
【０００８】
本発明の発泡体組成物は、上記の成分を含むことにより、以下の効果を奏することができる。
▲１▼本発明の発泡体組成物は、吸水性及び保水性に優れている。そのことにより、例えば、この発泡体組成物を用いて製造した花器（例えば、生花用剣山、植物栽培容器等）は、一旦水を補給すると、長期間に渡って充分な量の水を保持し、生花に水を供給することができる。
【０００９】
▲２▼本発明の発泡体組成物は、水を含んだ状態でも変形しにくい。そのことにより、例えば、この発泡体組成物を用いて製造した生花用剣山は、水を含んだ状態で生花を刺しても、生花の重みで変形してしまうようなことがない。
▲３▼本発明の発泡体組成物は、ホルマリン等の有毒な成分を発生させないので、人体に対して害を及ぼす恐れがない。
【００１０】
▲４▼本発明の発泡体組成物は、澱粉類と天然樹脂を主成分とするので、燃えても有害物質を発生させず、燃焼による廃棄物処理が容易である。また、この発泡体組成物は、生分解性を有するので、例えば、土中に廃棄する処理が可能である。
・前記化工澱粉とは、例えば、コーンポールＣＰＲ−ＥＸ３（商品名、（株）コーンスターチ社製）のように、澱粉に対し、アシル化の化工を施し、水酸基の部分をエステルに置換したものが挙げられる。
【００１１】
・前記天然樹脂としては、例えば、セラック、ロジン、コーパル、ダンマルが挙げられる。
・本発明の発泡体組成物は、例えば、澱粉類及び天然樹脂を含む原料と、発泡剤（例えば、重炭酸ソーダ、テルペン）とを混合し、発泡剤を発泡させることにより製造できる。
【００１２】
・本発明の発泡体組成物は、例えば、界面活性剤を配合することができる。界面活性剤としては、例えば、ドデシルベンゼンスルフォン酸ソーダ、オレイルアルコールエトキシ化スルファネート等が挙げられる。界面活性剤を配合することにより、発泡剤を均一に分散する効果が得られる。
（２）請求項２の発明は、
前記天然樹脂が、セラック、ロジン、コーパル、ダンマルの中から選ばれる１種以上であることを特徴とする前記請求項１に記載の発泡体組成物を要旨とする。
【００１３】
本発明の発泡体組成物は、天然樹脂として上記成分を含むことにより、吸水性、保水性、水を含んだ時における変形しにくさ、廃棄処理の容易性において一層優れている。
（３）請求項３の発明は、
発泡体組成物全量に対する前記澱粉類の割合が、２０〜９５重量％の範囲にあることを特徴とする前記請求項１又は２に記載の発泡体組成物を要旨とする。
【００１４】
本発明の発泡体組成物は、澱粉類の割合が上記範囲内にあることにより、吸水性、保水性、水を含んだ時における変形しにくさ、廃棄処理の容易性において一層優れている。
（４）請求項４の発明は、
発泡体組成物全量に対する前記天然樹脂の割合が、５〜８０重量％の範囲にあることを特徴とする前記請求項１〜３のいずれかに記載の発泡体組成物を要旨とする。
【００１５】
本発明の発泡体組成物は、天然樹脂の割合が上記範囲内にあることにより、吸水性、保水性、水を含んだ時における変形しにくさ、廃棄処理の容易性において一層優れている。
（５）請求項５の発明は、
天然油脂を含むことを特徴とする前記請求項１〜４のいずれかに記載の発泡体組成物を要旨とする。
【００１６】
本発明の発泡体組成物は、天然油脂を含むことにより、耐水性向上の効果を奏する。
・前記天然油脂としては、例えば、セラックワックス、キャンデリラ、カルナバ、ミツロウ等が挙げられる。
（６）請求項６の発明は、
セルロース類を含むことを特徴とする前記請求項１〜５のいずれかに記載の発泡体組成物を要旨とする。
【００１７】
本発明の発泡体組成物は、セルロース類を含むことにより、発泡体組成物の変形を起こしにくくする効果を奏する。
・前記セルロース類としては、例えば、カルボキシメチルセルロース、ヒドロキシプロピルセルロース、ニトロセルロース等が挙げられる。
（７）請求項７の発明は、
前記請求項１〜６のいずれかに記載の発泡体組成物から成ることを特徴とする生花用剣山を要旨とする。
【００１８】
本発明の生花用剣山は、前記請求項１〜６の発泡体組成物と同様の効果を奏する。
【００１９】
【発明の実施の形態】
以下に本発明の発泡体組成物、及び生花用剣山の実施の形態の例（実施例）を説明する。
（実施例１）
ａ）まず、発泡体組成物の製造方法について説明する。
【００２０】
▲１▼下記の原料を混合した。
化工澱粉（商品名：コーンポールＣＰＲ−ＥＸ３、（株）コーンスターチ社製）：１００重量部
セラック（天然樹脂）：３０重量部
ドデシルベンゼンスルフォン酸ソーダ（界面活性剤）：３重量部
重炭酸ソーダ（発泡剤）：１重量部
▲２▼この混合物を、二軸押出機（φ４６ｍｍ、Ｌ／Ｄ２１．５）に供給し、シリンダー温度Ｃ１：６０°Ｃ、Ｃ２：６０°Ｃ、Ｃ３：１２０°Ｃ、Ｃ４：１６０°Ｃ、Ｃ５：１８０°Ｃ、ダイス温度Ｄ１：１７０°Ｃの条件にて、内径１０ｍｍのダイから押出して発泡させ、外径約１０ｃｍの円筒形の発泡体組成物を得た。
【００２１】
尚、この発泡体組成物において、発泡体組成物全量に対する化工澱粉（澱粉類）の割合は、７５重量％である。また、セラック（天然樹脂）の割合は、２２重量％である。従って、この発泡体組成物は、請求項３及び請求項４の発明の範囲内である。
【００２２】
ｂ）次に、生花用剣山を製造する方法を説明する。
前記ａ）で製造した発泡体組成物を、カッターナイフを用いて図１に示す形状に切り出し、生花用剣山を製造した。この生花用剣山は、１片が７ｃｍの立方体であって、その上面に生花の茎を刺すものである。
【００２３】
ｃ）次に、前記ａ）で製造した発泡体組成物及び前記ｂ）で製造した生花用剣山の奏する効果を説明する。
▲１▼本実施例１で製造した発泡体組成物は、吸水性及び保水性に優れている。そのことにより、この発泡体組成物を用いて製造した生花用剣山は、一旦水を補給すると、長期間に渡って充分な量の水を保持し、生花に水を供給することができる。
【００２４】
▲２▼本実施例１で製造した発泡体組成物は、水を含んだ状態でも変形しにくい。そのことにより、この発泡体組成物を用いて製造した生花用剣山は、水を含んだ状態で生花を刺しても、生花の重みで変形してしまうようなことがない。
▲３▼本実施例１で製造した発泡体組成物及び生花用剣山からは、ホルマリン等の有害物質が発生しないので、人体に対して害を及ぼす恐れがない。
【００２５】
▲４▼本実施例１で製造した発泡体組成物及び生花用剣山は、燃えても有害物質を発生しないので、燃焼による廃棄物処理が容易である。また、この発泡体組成物及び生花用剣山は、生分解性のある材料（化工澱粉及びセラック）を主成分とするので、生分解性を有し、例えば、土中に廃棄する処理が可能である。
【００２６】
ｄ）次に、前記ａ）で製造した発泡体組成物の物性を確認するために行った実験について説明する。
▲１▼給水時間の測定
前記ａ）で製造した発泡体組成物を、１辺が７ｃｍの立方体に切り出し、試験片とした。この試験片の全体を、２５°Ｃの水を張った水槽に沈めてから、これ以上水が浸透しなくなるまでの時間を測定し、これを吸水時間とした。ここで、試験片にこれ以上水が浸透しなくなる時間とは、水槽の水位が低下しなくなる時間とした。この結果を表１に示す。
【００２７】
【表１】
2004225010.tif 000003
この表１に示す様に、吸水時間は６０秒であり、本実施例１の発泡体組成物は比較的吸水時間が短い（つまり水の吸収が早い）ことがわかった。
【００２８】
▲２▼吸水量の測定
前記▲１▼と同様の試験片を作成し、その試験片を十分長時間水中に沈め、試験片に吸収された水の量を測定した。具体的には、乾燥時における重量と、水を吸収した後での重量との差により、吸水量を算出した。発泡体組成物１Ｌ当たりの吸水量を上記表１に示す。
【００２９】
この表１に示す様に、発泡体組成物１Ｌ当たりの吸水量は７５０グラムと大きく、発泡体組成物の吸水性が高いことが分かった。
▲３▼保水率の測定
前記▲１▼と同様の試験片を作成し、この試験片を十分長時間水に浸漬した後、水から引き上げ、６０分間常温常湿下で放置した。そして、水から引き上げた直後に試験片が保持していた水に対して、６０分経過後に試験片が保持していた水の割合を保水率として算出した。具体的には、試験片の乾燥時の重量をＡとし、水から引き上げた直後の試験片の重量をＢとし、６０分経過後における試験片の重量をＣとして、以下の式を用いて保水率を算出した。この結果を上記表１に示す。
【００３０】
保水率（％）＝１００×（Ｃ−Ａ）／（Ｂ−Ａ）
この表１に示す様に、発泡体組成物の保水率は８８％であり、保水性が高いことが分かった。
▲４▼変形の判定
前記▲１▼と同様の試験片を作成し、この試験片を、十分長時間水に浸漬した後、水から引き上げた。そして、試験片の底面が床に接するように、水平面上に静置した。この状態で、試験片の形状を観察し、変形が生じているかを判断した。具体的には、以下の○、△、×の基準で変形を評価した。尚、○〜△は○と△の間の評価であり、△〜×は、△と×の間の評価である。
【００３１】
○：発泡直後の形状を維持している。
△：部分的に発泡部分がふさがっているものの、変形が少ないもの
×：発泡部分が完全にふさがってしまい、変形が著しいもの
変形についての評価結果を表１に示す。
【００３２】
この表１に示す様に、本実施例１の発泡体は、水を含んだ状態でも変形しにくいことが分かった。
（実施例２）
ａ）まず、発泡体組成物の製造方法について説明する。
【００３３】
▲１▼下記の原料を混合し、ホモミキサーを用い、３０００ｒｐｍで、３０分間高速攪拌して分散液を作成した。
水２００重量部に化工澱粉（商品名：コーンポールＣＰＲ−ＥＸ３、（株）コーンスターチ社製）１００重量部を分散させた液
セラック（天然樹脂）の２８％アンモニア水溶液：１００重量部
ドデシルベンゼンスルフォン酸ソーダ（界面活性剤）：３重量部
ペンタン（発泡剤）：１０重量部
▲２▼この分散液を、発泡容器に入れ、８０°Ｃにて硬化させ、発泡体組成物を製造した。
【００３４】
尚、この発泡容器の形状は、前記実施例１における生花用剣山の形状と同様とした。従って、製造された発泡体組成物は、そのまま、生花用剣山として用いることができる。
また、この発泡体組成物において、発泡体組成物全量に対する化工澱粉（澱粉類）の割合は、７６重量％である。また、セラック（天然樹脂）の割合は、２１重量％である。従って、この発泡体組成物は、請求項３及び請求項４の発明の範囲内である。
【００３５】
ｂ）本実施例２の発泡体組成物及び生花用剣山は、前記実施例１と同様の効果を奏する。
ｃ）前記実施例１のｄ）と同様にして、前記ａ）で製造した発泡体組成物の吸水時間、吸水率、保水率、及び変形を評価した。その結果を上記表１に示す。
【００３６】
この表１に示す様に、本実施例２の発泡体組成物は、吸水時間が比較的短く、保水量や保水率が高く、比較的変形し難いことが分かった。
（実施例３）
ａ）基本的には前記実施例１と同様にして発泡体組成物及び生花用剣山を製造した。但し、本実施例３では、発泡体組成物の原料として、化工澱粉１００重量部の代わりに、澱粉１００重量部を用いた。
【００３７】
尚、この発泡体組成物において、発泡体組成物全量に対する澱粉（澱粉類）の割合は、７５重量％である。また、セラック（天然樹脂）の割合は、２２重量％である。従って、この発泡体組成物は、請求項３及び請求項４の発明の範囲内である。
【００３８】
ｂ）本実施例３の発泡体組成物及び生花用剣山は、前記実施例１と同様の効果を奏する。
ｃ）前記実施例１のｄ）と同様にして、前記ａ）で製造した発泡体組成物の吸水時間、吸水率、保水率、及び変形を評価した。その結果を上記表１に示す。
【００３９】
この表１に示す様に、本実施例３の発泡体組成物は、吸水時間が比較的短く、保水量や保水率が高く、変形し難いことが分かった。
（実施例４）
ａ）基本的には前記実施例２と同様にして発泡体組成物及び生花用剣山を製造した。但し、本実施例４では、発泡体組成物の原料として、化工澱粉１００重量部の代わりに、澱粉１００重量部を用いた。
【００４０】
本実施例４の発泡体組成物において、発泡体組成物全量に対する澱粉（澱粉類）の割合は、７６重量％である。また、セラック（天然樹脂）の割合は、２１重量％である。従って、この発泡体組成物は、請求項３及び請求項４の発明の範囲内である。
【００４１】
ｂ）本実施例４の発泡体組成物及び生花用剣山は、前記実施例１と同様の効果を奏する。
ｃ）前記実施例１のｄ）と同様にして、前記ａ）で製造した発泡体組成物の吸水時間、吸水率、保水率、及び変形を評価した。その結果を上記表１に示す。
【００４２】
この表１に示す様に、本実施例４の発泡体組成物は、吸水時間が比較的短く、保水量や保水率が高く、比較的変形し難いことが分かった。
（実施例５）
ａ）基本的には前記実施例１と同様にして発泡体組成物及び生花用剣山を製造した。但し、本実施例５では、発泡体組成物の原料として、セラック３０重量部の代わりに、ロジン３０重量部を用いた。
【００４３】
尚、本実施例５の発泡体組成物において、発泡体組成物全量に対する化工澱粉（澱粉類）の割合は、７５重量％である。また、ロジン（天然樹脂）の割合は、２２重量％である。従って、この発泡体組成物は、請求項３及び請求項４の発明の範囲内である。
【００４４】
ｂ）本実施例５の発泡体組成物及び生花用剣山は、前記実施例１と同様の効果を奏する。
ｃ）前記実施例１のｄ）と同様にして、前記ａ）で製造した発泡体組成物の吸水時間、吸水率、保水率、及び変形を評価した。その結果を上記表１に示す。
【００４５】
この表１に示す様に、本実施例５の発泡体組成物は、吸水時間が比較的短く、保水量や保水率が高く、変形し難いことが分かった。
（実施例６）
ａ）基本的には前記実施例２と同様にして発泡体組成物及び生花用剣山を製造した。但し、本実施例６では、発泡体組成物の原料として、セラックの２８％アンモニア水溶液１００重量部の代わりに、ロジンの２８％アンモニア水溶液１００重量部を用いた。
【００４６】
また、この発泡体組成物において、発泡体組成物全量に対する化工澱粉（澱粉類）の割合は、７６重量％である。また、ロジン（天然樹脂）の割合は、２１重量％である。従って、この発泡体組成物は、請求項３及び請求項４の発明の範囲内である。
【００４７】
ｂ）本実施例６の発泡体組成物及び生花用剣山は、前記実施例１と同様の効果を奏する。
ｃ）前記実施例１のｄ）と同様にして、前記ａ）で製造した発泡体組成物の吸水時間、吸水率、保水率、及び変形を評価した。その結果を上記表１に示す。
【００４８】
この表１に示す様に、本実施例６の発泡体組成物は、吸水時間が比較的短く、保水量や保水率が高いことが分かった。
（実施例７）
基本的には前記実施例１と同様にして、発泡体組成物及び生花用剣山を製造した。
【００４９】
ただし、本実施例７では、セラックの配合量を５．５重量部とし、発泡体組成物全体に対する化工澱粉及びセラックの割合を、それぞれ、９０重量％、５重量％としたもの（実施例７−１）、セラックの配合量を３９６重量部とし、発泡体組成物全体に対する化工澱粉及びセラックの割合を、それぞれ、２０重量％、７９重量％としたもの（実施例７−２）、セラックの配合量を０．１７重量部とし、発泡体組成物全体に対する化工澱粉及びセラックの割合を、それぞれ、９６重量％、０．１６重量％としたもの（実施例７−３）、セラックの配合量を５８９重量部とし、発泡体組成物全体に対する化工澱粉及びセラックの割合を、それぞれ、１４重量％、８５重量％としたもの（実施例７−４）を、それぞれ、製造した。
【００５０】
つまり、実施例７−１及び実施例７−２は、請求項３及び請求項４の範囲内であるが、実施例７−３及び実施例７−４は、請求項３及び請求項４の範囲外である。
実施例７−１〜実施例７−４は、前記実施例１と同様の効果を奏するが、実施例７−３及び実施例７−４は、実施例７−１及び実施例７−２に比べて、発泡性能の点でやや劣っていた。
（実施例８）
基本的には前記実施例１と同様にして、発泡体組成物及び生花用剣山を製造した。
【００５１】
ただし、本実施例８では、前記実施例１における原料に加えて、カルナバ（天然油脂）１０重量部を配合したもの（実施例８−１）、前記実施例１における原料に加えて、ニトロセルロース（セルロース類）１０重量部を配合したもの（実施例８−２）をそれぞれ製造した。
【００５２】
つまり、実施例８−１は、請求項５の発明の範囲内の例であり、実施例８−２は、請求項６の発明の範囲内の例である。
実施例８−１〜実施例８−２の発泡体組成物及び生花用剣山は、前記実施例１と同様の効果を奏する。
【００５３】
更に、実施例８−１の発泡体組成物及び生花用剣山は、天然油脂を含有することにより、耐水性が高いという効果を奏する。
また、実施例８−２の発泡体組成物及び生花用剣山は、セルロース類を含有することにより、変形防止の効果を奏する。
（比較例１）
基本的には前記実施例１と同様にして、発泡体組成物及び生花用剣山を製造した。但し、本比較例１では、発泡体組成物の原料を以下のものとした。
【００５４】
化工澱粉（商品名：コーンポールＣＰＲ−ＥＸ３、（株）コーンスターチ社製）：１００重量部
ドデシルベンゼンスルフォン酸ソーダ（界面活性剤）：３重量部
重炭酸ソーダ（発泡剤）：１重量部
本比較例１の発泡体組成物及び生花用剣山は、天然樹脂を含んでおらず、本発明の範囲外の例である。尚、本比較例１及び後述する比較例２〜４の発泡体組成物の製造に用いる原料を表２に示す。
【００５５】
【表２】
2004225010.tif 000004
本比較例１の発泡体組成物に対し、前記実施例１のｄ）と同様の試験を行った。その結果を上記表２に示す。
【００５６】
この表２に示す様に、吸水時間は３３秒であるが、吸水量が５０グラムしかなく、本比較例１の発泡体組成物は吸水性が低いことが分かった。また、保水率が５０％と低く、保水性が低いことが分かった。また、変形が激しかったことから、水を含んだ状態では変形し易いことが分かった。
（比較例２）
基本的には、前記実施例２と同様にして、発泡体組成物及び生花用剣山を製造した。但し、本比較例２では、発泡体組成物の原料を以下のものとした。
【００５７】
水２００重量部に化工澱粉（商品名：コーンポールＣＰＲ−ＥＸ３、（株）コーンスターチ社製）１００重量部を分散させた液
ドデシルベンゼンスルフォン酸ソーダ（界面活性剤）：３重量部
ペンタン：１０重量部
本比較例２の発泡体組成物及び生花用剣山は、天然樹脂を含んでおらず、本発明の範囲外の例である。
【００５８】
本比較例２の発泡体組成物に対し、前記実施例１のｄ）と同様の試験を行った。その結果を上記表２に示す。
この表２に示す様に、吸水時間は２８秒であるが、吸水量が８０グラムしかなく、本比較例２の発泡体組成物は吸水性が低いことが分かった。また、保水率が７５％と低く、保水性が低いことが分かった。また、変形が激しかったことから、水を含んだ状態では変形し易いことが分かった。
（比較例３）
基本的には前記実施例１と同様にして、発泡体組成物及び生花用剣山を製造した。但し、本比較例３では、発泡体組成物の原料を以下のものとした。
【００５９】
セラック：１３０重量部
ドデシルベンゼンスルフォン酸ソーダ（界面活性剤）：３重量部
重炭酸ソーダ（発泡剤）：１重量部
本比較例３の発泡体組成物及び生花用剣山は、澱粉類を含んでおらず、本発明の範囲外の例である。
【００６０】
本比較例３の発泡体組成物に対し、前記実施例１のｄ）と同様の試験を行った。その結果を上記表２に示す。
この表２に示す様に、吸水時間は２０秒であるが、吸水量が２００グラムしかなく、本比較例３の発泡体組成物は吸水性が低いことが分かった。また、保水率が４０％と低く、保水性が低いことが分かった。また、変形が比較的大きかった。
（比較例４）
基本的には前記実施例２と同様にして、発泡体組成物及び生花用剣山を製造した。但し、本比較例４では、発泡体組成物の原料を以下のものとした。
【００６１】
セラック（天然樹脂）の２８％アンモニア水溶液：４６０重量部
ドデシルベンゼンスルフォン酸ソーダ（界面活性剤）：３重量部
ペンタン（発泡剤）：１０重量部
本比較例４の発泡体組成物及び生花用剣山は、澱粉類を含んでおらず、本発明の範囲外の例である。
【００６２】
本比較例４の発泡体組成物に対し、前記実施例１のｄ）と同様の試験を行った。その結果を上記表２に示す。
この表２に示す様に、吸水時間は３３秒であるが、吸水量が１００グラムしかなく、本比較例４の発泡体組成物は吸水性が低いことが分かった。また、保水率が７０％と低く、保水性が低いことが分かった。また、変形が激しかったことから、水を含んだ状態では変形し易いことが分かった。
【００６３】
尚、本発明は前記実施例になんら限定されるものではなく、本発明を逸脱しない範囲において種々の態様で実施しうることはいうまでもない。
【図面の簡単な説明】
【図１】実施例における生花用剣山の構成を示す説明図である。
【図１】
2004225010.tif 000005